【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
エネルギーデバイスであって、
エネルギー貯蔵構成要素と、
該エネルギー貯蔵構成要素の一体部分である少なくとも１つの導電性表面と
を備えており、
該少なくとも１つの表面は、電磁エネルギーを収集するように適合される、エネルギーデバイス。
【請求項２】
前記エネルギー貯蔵構成要素は、電気化学的貯蔵デバイス、電気的貯蔵デバイス、機械的エネルギー貯蔵デバイス、電気機械デバイス、熱エネルギー貯蔵デバイス、および化学的エネルギー貯蔵デバイスを含む群からの任意の装置を備える、請求項１に記載のエネルギーデバイス。
【請求項３】
前記エネルギー貯蔵構成要素は、バッテリ、薄膜バッテリ、コンデンサ、薄膜コンデンサ、圧電素子、磁気電気素子、熱質量容器、フライホイール、マイクロフライホイール、微小電気機械システム（ＭＥＭＳ）、機械バネ、水素容器を有する水素発生器、およびオゾン容器を有するオゾン発生器の群から選択される構成要素を備える、請求項１に記載のエネルギーデバイス。
【請求項４】
前記導電性表面は、好適な電磁インピーダンスを備え、該好適な電磁インピーダンスは、該表面の寸法が、獲得の標的とされる波長において信号利得を生成するようにサイズ決定されるために、前記収集される電磁エネルギーの周波数に適合される、請求項１に記載のエネルギーデバイス。
【請求項５】
前記導電性表面は、電気化学的貯蔵デバイスのアノード、電気化学的貯蔵デバイスのアノード電流コレクタ、電気化学的貯蔵デバイスのカソード、電気化学的貯蔵デバイスのカソード電流コレクタ、電気化学的貯蔵デバイスのカプセル化、電気化学的貯蔵デバイスの基板、電気化学的貯蔵デバイスのケーシング、コンデンサの陰性電極、コンデンサの陽性電極、およびコンデンサのケーシングの群から選択される材料を備える、請求項１に記載のエネルギーデバイス。
【請求項６】
前記少なくとも１つの導電性表面は、前記エネルギー貯蔵構成要素による主要な機能的必要性を超えて構造的または化学的に修飾され、それにより、該修飾は、電磁エネルギーを収集する該表面の能力の増大を引き起こす、請求項１に記載のエネルギーデバイス。
【請求項７】
前記少なくとも１つの導電性表面は、少なくとも１つの水平方向に増加した厚さおよび／または表面積を有する、請求項１または６に記載のエネルギーデバイス。
【請求項８】
前記少なくとも１つの導電性表面は、少なくとも１つの導電性突起部を備え、該少なくとも１つの導電性突起部は、該少なくとも１つの導電性表面から前記構成要素の層に平行または直角な方向に延在する、請求項１または６に記載のエネルギーデバイス。
【請求項９】
前記導電性表面は、金属、合金、半導体、伝導性有機物およびポリマー、ならびに伝導性複合体の群から選択される材料を備える、請求項１に記載のエネルギーデバイス。
【請求項１０】
前記デバイスの形状および／または前記エネルギー貯蔵構成要素の形状は、正方形、長方形、三角形、多面多角形、円形、湾曲、波形、および厚さ不均一の群から選択される、請求項１に記載のエネルギーデバイス。
【請求項１１】
前記収集された電磁エネルギーは、電場結合エネルギー、磁場結合エネルギー、光波直接結合エネルギー、光波熱的結合エネルギー、レーザまたはコヒーレント光結合エネルギー、サブミリメートル波長放射結合エネルギー、広帯域周波数、狭帯域周波数、直接エネルギー、間接エネルギー、極超長波、極極超長波、超長波、長波、中波、短波、超短波、極超短波、極極超短波、ミリ波、赤外線光周波数、可視光周波数、紫外線光周波数、およびＸ線周波数の群から選択される、エネルギーを備える、請求項１に記載のエネルギーデバイス。
【請求項１２】
複数の導電性表面をさらに備え、該複数の表面は、全方向応答または一方向応答における前記電磁エネルギーの出力の収集を改善するアレイを形成するように適合される、請求項１に記載のエネルギーデバイス。
【請求項１３】
請求項１に記載の複数のエネルギーデバイスを備えるアレイであって、導電性表面をさらに備え、該導電性表面は、全方向応答または一方向応答において電磁エネルギーを収集するように適合される、アレイ。
【請求項１４】
少なくとも１つの外部整流素子をさらに備え、該少なくとも１つの外部整流素子は、前記収集された電磁エネルギーを整流するように適合され、
該少なくとも１つの整流素子は、外部ダイオード、該外部ダイオードおよび前記導電性表面を備えるレクテナ、外部フルブリッジ整流器、外部ハーフブリッジ整流器、および外部反応構成要素の群から選択され、該外部反応構成要素は、コンデンサ、コイル、ダイオード、トランジスタ、ＲＦチョーク、および統合デバイスの任意の組み合わせを備える、請求項１に記載のエネルギーデバイス。
【請求項１５】
少なくとも１つの統合整流素子をさらに備え、該少なくとも１つの統合整流素子は、前記収集された電磁エネルギーを整流するように適合され、
該統合整流素子は、前記エネルギー貯蔵構成要素の一部を備え、該統合整流素子は、少なくともダイオード、レクテナ、フルブリッジ整流器、ハーフブリッジ整流器、または反応構成要素の電気的特性を備える、請求項１に記載のエネルギーデバイス。
【請求項１６】
並列および／または直列にグループ化される２つ以上の整流素子と、広帯域エネルギー収集を可能にするための、異なるサイズの少なくとも２つの導電性表面とをさらに備える、請求項１４または１５に記載のエネルギーデバイス。
【請求項１７】
並列および／または直列にグループ化される２つ以上の整流素子と、狭帯域エネルギー収集を可能にするための、同様のサイズの少なくとも２つの導電性表面とを備える、請求項１４または１５に記載のエネルギーデバイス。
【請求項１８】
２つ以上のエネルギー貯蔵構成要素をさらに備え、該２つ以上のエネルギー貯蔵構成要素は、他のエネルギー貯蔵構成要素と実質的に同一のサイズおよび形状であるか、または、異なるサイズおよび形状であり、該２つ以上のエネルギー貯蔵構成要素は、直列または並列に接続され、該エネルギー貯蔵構成要素のうちの少なくとも１つは、電磁エネルギーを収集するように適合される導電性表面を提供するように適合される、請求項１に記載のエネルギーデバイス。
【請求項１９】
前記複数の導電性表面は、電磁エネルギーを収集するように適合される直列または並列の接続を備え、
全ての導電性表面が、実質的に等しいサイズおよび形状を備えるか、または、全ての導電性表面が、他の導電性表面とは実質的に異なるサイズおよび形状を備える、請求項１２に記載のエネルギーデバイス。
【請求項２０】
エネルギーデバイスの前記アレイは、直列または並列の接続を備え、該エネルギーデバイスのうちの少なくとも１つは、電磁エネルギーを収集するように適合される導電性表面を提供し、
該エネルギーデバイスが、全て、実質的に等しいサイズおよび形状を備えるか、または、該エネルギーデバイスのうちの少なくとも１つが、他のエネルギーデバイスとは実質的に異なるサイズおよび形状を備える、請求項１３に記載のアレイ。
【請求項２１】
前記導電性表面は、誘電体の高さ（ｈ）と、誘電率（εｒ）とを含み、エネルギー周波数（ｆｒ）を獲得するための該表面の寸法は、幅
【数４】
2012500610.tif 000001
および、長さ
【数５】
2012500610.tif 000002
を含み、式中、εｒｅｆｆは実効誘電率であり、
【数６】
2012500610.tif 000003
である、請求項４に記載のエネルギーデバイス。
【請求項２２】
前記導電性表面は、誘電体の高さ（ｈ）と、誘電率（εｒ）とを含み、エネルギー周波数（ｆｒ）を獲得するための該表面の寸法は、幅
【数７】
2012500610.tif 000004
および、長さ
【数８】
2012500610.tif 000005
を含み、式中、εｒｅｆｆは実効誘電率であり、
【数９】
2012500610.tif 000006
である、請求項６に記載のエネルギーデバイス。
【請求項２３】
前記導電性表面は、該表面の複数の領域内のＲＦ伝導特性に影響を及ぼして、絶縁域、伝導性域、および半導性域を提供するように適合される、請求項６に記載のエネルギーデバイス。
【請求項２４】
複数の伝導表面間に１つ以上の層をさらに備え、該層は、絶縁材料または半導体材料を備える、請求項７に記載のエネルギーデバイス。
【請求項２５】
基板素子と、少なくとも２つの収集表面とを備え、各収集表面は、該基板素子の反対側に位置する、請求項１３に記載のアレイ。
【手続補正２】
【補正対象書類名】明細書
【補正対象項目名】００１１
【補正方法】変更
【補正の内容】
【００１１】
特定の周波数帯域、広帯域、または他のエネルギー応用に対するエネルギー収集の効率および／または能力を増大するために、さらなる特徴、パターン、または形状がエネルギーデバイスの伝導表面に追加されてもよい。可撓性デバイスのために、統合伝導表面は、例えば、そのエネルギー収集能力を強化するように、またはその指向受信特徴を強化するように湾曲していてもよい（例えば、ｚ軸変位）。
本発明は、例えば、以下を提供する。
（項目１）
エネルギーデバイスであって、
エネルギー貯蔵構成要素と、
該エネルギー貯蔵構成要素の一体部分である少なくとも１つの導電性表面と
を備えており、
該少なくとも１つの表面は、電磁エネルギーを収集するように適合される、エネルギーデバイス。
（項目２）
上記エネルギー貯蔵構成要素は、電気化学的貯蔵デバイス、電気的貯蔵デバイス、機械的エネルギー貯蔵デバイス、電気機械デバイス、熱エネルギー貯蔵デバイス、および化学的エネルギー貯蔵デバイスを含む群からの任意の装置を備える、項目１に記載のエネルギーデバイス。
（項目３）
上記エネルギー貯蔵構成要素は、バッテリ、薄膜バッテリ、コンデンサ、薄膜コンデンサ、圧電素子、磁気電気素子、熱質量容器、フライホイール、マイクロフライホイール、微小電気機械システム（ＭＥＭＳ）、機械バネ、水素容器を有する水素発生器、およびオゾン容器を有するオゾン発生器の群から選択される構成要素を備える、項目１に記載のエネルギーデバイス。
（項目４）
上記導電性表面は、好適な電磁インピーダンスを備え、該好適な電磁インピーダンスは、該表面の寸法が、獲得の標的とされる波長において信号利得を生成するようにサイズ決定されるために、上記収集される電磁エネルギーの周波数に適合される、項目１に記載のエネルギーデバイス。
（項目５）
上記導電性表面は、電気化学的貯蔵デバイスのアノード、電気化学的貯蔵デバイスのアノード電流コレクタ、電気化学的貯蔵デバイスのカソード、電気化学的貯蔵デバイスのカソード電流コレクタ、電気化学的貯蔵デバイスのカプセル化、電気化学的貯蔵デバイスの基板、電気化学的貯蔵デバイスのケーシング、コンデンサの陰性電極、コンデンサの陽性電極、およびコンデンサのケーシングの群から選択される、材料を備える、項目１に記載のエネルギーデバイス。
（項目６）
上記少なくとも１つの導電性表面は、上記エネルギー貯蔵構成要素による主要な機能的必要性を超えて構造的または化学的に修飾され、それにより、該修飾は、電磁エネルギーを収集する該表面の能力の増大を引き起こす、項目１に記載のエネルギーデバイス。
（項目７）
上記少なくとも１つの導電性表面は、少なくとも１つの水平方向に増加した表面積を有する、項目１に記載のエネルギーデバイス。
（項目８）
上記少なくとも１つの導電性表面は、増加した厚さを有する、項目１に記載のエネルギーデバイス。
（項目９）
上記少なくとも１つの導電性表面は、少なくとも１つの導電性突起部を備え、該少なくとも１つの導電性突起部は、該少なくとも１つの導電性表面から上記構成要素層に平行な方向に延在する、項目１に記載のエネルギーデバイス。
（項目１０）
上記少なくとも１つの導電性表面は、少なくとも１つの導電性突起部を備え、少なくとも１つの導電性突起部は、該少なくとも１つの導電性表面から該構成要素層に直角の方向に延在する、項目１に記載のエネルギーデバイス。
（項目１１）
上記少なくとも１つの導電性表面は、少なくとも１つの水平方向に増加した表面積を有する、項目６に記載のエネルギーデバイス。
（項目１２）
上記少なくとも１つの導電性表面は、増加した厚さを有する、項目６に記載のエネルギーデバイス。
（項目１３）
上記少なくとも１つの導電性表面は、少なくとも１つの導電性突起部を備え、該少なくとも１つの導電性突起部は、該少なくとも１つの導電性表面から上記構成要素層に平行な方向に延在する、項目６に記載のエネルギーデバイス。
（項目１４）
上記少なくとも１つの導電性表面は、少なくとも１つの導電性突起部を備え、該少なくとも１つの導電性突起部は、少なくとも１つの導電性表面から上記構成要素層に直角の方向に延在する、項目６に記載のエネルギーデバイス。
（項目１５）
上記導電性表面をさらに備え、該導電性表面は、上記エネルギー貯蔵構成要素の製造中に上記デバイスに組み込まれる、項目１に記載のエネルギーデバイス。
（項目１６）
上記導電性表面は、金属、合金、半導体、伝導性有機物およびポリマー、ならびに伝導性複合体の群から選択される材料を備える、項目１に記載のエネルギーデバイス。
（項目１７）
上記デバイスの形状は、正方形、長方形、三角形、多面多角形、円形、湾曲、波形、および厚さ不均一の群から選択される、項目１に記載のエネルギーデバイス。
（項目１８）
上記収集された電磁エネルギーは、電場結合エネルギー、磁場結合エネルギー、光波直接結合エネルギー、光波熱的結合エネルギー、レーザまたはコヒーレント光結合エネルギー、およびサブミリメートル波長放射結合エネルギーの群から選択される、エネルギーを備える、項目１に記載のエネルギーデバイス。
（項目１９）
上記収集された電磁エネルギーは、広帯域周波数、狭帯域周波数、直接エネルギー、間接エネルギー、極超長波、極極超長波、超長波、長波、中波、短波、超短波、極超短波、極極超短波、ミリ波、赤外線光周波数、可視光周波数、紫外線光周波数、およびＸ線周波数を含む群から選択される、項目１に記載のエネルギーデバイス。
（項目２０）
複数の導電性表面をさらに備える、項目１に記載のエネルギーデバイス。
（項目２１）
上記複数の表面は、全方向応答における上記電磁エネルギーの出力の収集を改善するアレイを形成するように適合される、項目２０に記載のエネルギーデバイス。
（項目２２）
上記複数の表面は、一方向応答における上記電磁エネルギーの出力の収集を改善するアレイを形成するように適合される、項目２０に記載のエネルギーデバイス。
（項目２３）
項目１に記載の複数のエネルギーデバイスを備える、アレイ。
（項目２４）
導電性表面をさらに備え、該導電性表面は、全方向応答において電磁エネルギーを収集するように適合される、項目２３に記載のアレイ。
（項目２５）
導電性表面をさらに備え、該導電性表面は、一方向応答において電磁エネルギーを収集するように適合される、項目２３に記載のアレイ。
（項目２６）
少なくとも１つの外部整流素子をさらに備え、該少なくとも１つの外部整流素子は、上記収集された電磁エネルギーを整流するように適合される、項目１に記載のエネルギーデバイス。
（項目２７）
上記少なくとも１つの整流素子は、外部ダイオード、該外部ダイオードおよび上記導電性表面を備えるレクテナ、外部フルブリッジ整流器、外部ハーフブリッジ整流器、および外部反応構成要素の群から選択され、該外部反応構成要素は、コンデンサ、コイル、ダイオード、トランジスタ、ＲＦチョーク、および統合デバイスの任意の組み合わせを備える、項目２６に記載のエネルギーデバイス。
（項目２８）
並列および／または直列にグループ化される２つ以上の整流素子と、広帯域エネルギー収集を可能にするための、異なるサイズの少なくとも２つの導電性表面とをさらに備える、項目２６に記載のエネルギーデバイス。
（項目２９）
並列および／または直列にグループ化される２つ以上の整流素子と、狭帯域エネルギー収集を可能にするための、同様のサイズの少なくとも２つの導電性表面とをさらに備える、項目２６に記載のエネルギーデバイス。
（項目３０）
少なくとも１つの統合整流素子をさらに備え、該少なくとも１つの統合整流素子は、上記収集された電磁エネルギーを整流するように適合される、項目１に記載のエネルギーデバイス。
（項目３１）
上記統合整流素子は、上記エネルギー貯蔵構成要素の一部を備え、該統合整流素子は、少なくともダイオード、レクテナ、フルブリッジ整流器、ハーフブリッジ整流器、または反応構成要素の電気的特性を備える、項目３０に記載のエネルギーデバイス。
（項目３２）
並列および／または直列にグループ化される２つ以上の整流素子と、広帯域エネルギー収集を可能にするための、異なるサイズの少なくとも２つの導電性表面とをさらに備える、項目３０に記載のエネルギーデバイス。
（項目３３）
並列および／または直列にグループ化される２つ以上の整流素子と、狭帯域エネルギー収集を可能にするための、同様のサイズの少なくとも２つの導電性表面とをさらに備える、項目３０に記載のエネルギーデバイス。
（項目３４）
上記エネルギー貯蔵構成要素は、正方形、長方形、三角形、多面多角形、円形、湾曲、波形、および厚さ不均一の群から選択される、項目１に記載のエネルギーデバイス。
（項目３５）
２つ以上のエネルギー貯蔵構成要素をさらに備える、項目１に記載のエネルギーデバイス。
（項目３６）
上記２つ以上のエネルギー貯蔵構成要素は、直列または並列に接続され、該エネルギー貯蔵構成要素のうちの少なくとも１つは、電磁エネルギーを収集するように適合される導電性表面を提供するように適合される、項目１に記載のエネルギーデバイス。
（項目３７）
上記エネルギー貯蔵構成要素は、全て、実質的に同一のサイズおよび形状を備える、項目３６に記載のエネルギーデバイス。
（項目３８）
上記エネルギー貯蔵構成要素のうちの少なくとも１つは、他のエネルギー貯蔵構成要素とは実質的に異なるサイズおよび形状を備える、項目３６に記載のエネルギーデバイス。
（項目３９）
上記複数の導電性表面は、電磁エネルギーを収集するように適合される直列または並列の接続を備える、項目２０に記載のエネルギーデバイス。
（項目４０）
全ての導電性表面は、実質的に等しいサイズおよび形状を備える、項目３９に記載のエネルギーデバイス。
（項目４１）
上記導電性表面のうちの少なくとも１つは、他の導電性表面とは実質的に異なるサイズおよび形状を備える、項目３９に記載のエネルギーデバイス。
（項目４２）
エネルギーデバイスの上記アレイは、直列または並列の接続を備え、該エネルギーデバイスのうちの少なくとも１つは、電磁エネルギーを収集するように適合される導電性表面を提供する、項目２３に記載のエネルギーデバイス。
（項目４３）
上記エネルギーデバイスは、全て、実質的に等しいサイズおよび形状を備える、項目４２に記載のエネルギーデバイス。
（項目４４）
上記エネルギーデバイスのうちの少なくとも１つは、他のエネルギーデバイスとは実質的に異なるサイズおよび形状を備える、項目４２に記載のエネルギーデバイス。
（項目４５）
電磁エネルギーを含有する環境内において電磁エネルギーを収集する方法であって、
該環境内において少なくとも１つのエネルギー獲得デバイスを提供することであって、該デバイスは、導電性表面と、エネルギー貯蔵構成要素とを備える、ことと、
該導電性表面にわたって該環境から電磁エネルギーを収集することと、
該エネルギー貯蔵構成要素の中に該エネルギーを貯蔵することと、
自律電気デバイスに電力供給することと
を含む、方法。
（項目４６）
電磁エネルギーの上記収集を改善するために、上記導電性表面の幾何学的形状を修正することをさらに含む、項目４５に記載の方法。
（項目４７）
上記エネルギー貯蔵構成要素の中に上記収集された電磁エネルギーを貯蔵する前に、該収集された電磁エネルギーを整流することをさらに含む、項目４５に記載の方法。
（項目４８）
電磁エネルギーを含有する環境内において電磁エネルギーを収集する方法であって、
該環境内において少なくとも１つのエネルギー獲得デバイスを提供することであって、該デバイスは、導電性表面を備える、ことと、
該導電性表面にわたって該環境から電磁エネルギーを収集することと
を含む、方法。
（項目４９）
電磁エネルギーの上記収集を改善するために、上記導電性表面の幾何学的形状を修正することをさらに含む、項目４８に記載の方法。
（項目５０）
上記エネルギー貯蔵構成要素の中に上記収集された電磁エネルギーを貯蔵する前に、該収集された電磁エネルギーを整流することをさらに含む、項目４８に記載の方法。
（項目５１）
自律電気デバイスに電力供給することをさらに含む、項目４８に記載の方法。
（項目５２）
上記収集されたエネルギーを貯蔵することをさらに含む、項目４８に記載の方法。
（項目５３）
上記導電性表面は、誘電体の高さ（ｈ）と、誘電率（εｒ）とを含み、エネルギー周波数（ｆｒ）を獲得するための該表面の寸法は、幅が
【数４】
2012500610.tif 000007
および、長さが
【数５】
2012500610.tif 000008
であって、式中、εｒｅｆｆは実効誘電率であって、
【数６】
2012500610.tif 000009
である、長さを含む、項目４に記載のエネルギーデバイス。
（項目５４）
上記導電性表面は、誘電体の高さ（ｈ）と、誘電率（εｒ）とを含み、エネルギー周波数（ｆｒ）を獲得するための該表面の寸法は、幅が
【数７】
2012500610.tif 000010
および、長さが
【数８】
2012500610.tif 000011
であって、式中、εｒｅｆｆは実効誘電率であって、
【数９】
2012500610.tif 000012
である、長さを含む、項目６に記載のエネルギーデバイス。
（項目５５）
上記導電性表面は、該表面の複数の領域内のＲＦ伝導特性に影響を及ぼして、絶縁域、伝導性域、および半導性域を提供するように適合される、項目６に記載のエネルギーデバイス。
（項目５６）
複数の伝導表面間に１つ以上の層をさらに備え、該層は、絶縁材料を備える、項目８に記載のエネルギーデバイス。
（項目５７）
複数の伝導表面間に１つ以上の層をさらに備え、該層は、半導体材料を備える、項目８に記載のエネルギーデバイス。
（項目５８）
伝導層および関連する絶縁層は、上記エネルギー貯蔵構成要素の製造中に上記デバイスに追加される、項目１５に記載のエネルギーデバイス。
（項目５９）
上記エネルギー貯蔵構成要素の上記製造中に、上記導電性表面を上記デバイスに組み込むことをさらに含む、項目４５に記載の方法。
（項目６０）
上記エネルギー貯蔵構成要素の上記製造中に、上記導電性表面を上記デバイスに組み込むことをさらに含む、項目４８に記載の方法。
（項目６１）
基板素子と、少なくとも２つの収集表面とを備え、各収集表面は、該基板素子の反対側に位置する、項目２４に記載のアレイ。